(57)【特許請求の範囲】
【請求項１】
桁行方向に並ぶ複数の屋根材で覆われて該屋根材毎に取り外し可能な既存建屋に使用される屋根葺き替えユニットであって、
前記既存建屋の梁間方向に関して前記既存建屋を挟んで互いに対向して立設された一対の脚部と、
前記既存建屋の上方にて前記一対の脚部に架け渡されて支持されて、前記既存建屋の屋根材上に屋根葺き替え作業用空間を区画形成するための作業用屋根部と、
前記脚部と地面との間に設けられて、前記一対の脚部と前記作業用屋根部とを一体に前記桁行方向に移動する移動機構と、を備えた既存建屋の屋根葺き替えユニットであって、
前記既存建屋内に、前記桁行方向に移動可能な可動床を有し、
前記可動床は、前記移動機構による前記作業用屋根部の移動に連動して、前記作業用屋根部と対向する下方に位置して移動し、
前記作業用空間は、前記既存建屋の屋根材と対面する下面のみを開口させながら、シート状又は板状の仕切部材によって側方を全周に亘って覆われて外部空間から仕切られ、
前記可動床から該可動床の上方の前記既存建屋の屋根材までに亘る可動床上方空間は、シート状の仕切部材によって、前記既存建屋内の空間から隔離されることを特徴とする既存建屋の屋根葺き替えユニット。
【請求項２】
請求項１に記載の既存建屋の屋根葺き替えユニットであって、
前記梁間方向における、前記作業用空間の一方側には、仕切りシートを介して搬入用空間が設けられており、
前記梁間方向における、前記作業用空間の他方側には、仕切りシートを介して排出用空間が設けられていることを特徴とする既存建屋の屋根葺き替えユニット。
【請求項３】
請求項１又は２に記載の既存建屋の屋根葺き替えユニットであって、
前記梁間方向を左右方向としたとき、
前記開口の左辺と右辺には、当該左辺と前記既存建屋との隙間、及び、当該右辺と前記既存建屋との隙間をそれぞれ塞ぐためのシール部材が設けられており、
前記脚部には、前記既存建屋の側面壁部の近傍まで張り出した支持部材を有し、
前記シール部材の一端は、前記左辺及び右辺にそれぞれ取り付けられており、
前記シール部材の他端は、前記支持部材に支持されており、
前記シール部材は、前記左辺と前記既存建屋との隙間、及び、前記右辺と前記既存建屋との隙間を、それぞれ下方から覆って塞ぐことを特徴とする既存建屋の屋根葺き替えユニット。
【請求項４】
請求項１乃至３のいずれかに記載の既存建屋の屋根葺き替えユニットであって、
前記可動床の外周縁には、手摺り部が設けられており、
前記可動床上方空間を前記シート状の仕切部材によって隔離する際には、当該仕切部材は、前記手摺り部を利用して上方へ立ち上げられて、葺き替え対象の前記屋根材の外側に位置する屋根材に取り付けられることを特徴とする既存建屋の屋根葺き替えユニット。
【請求項５】
請求項１乃至４のいずれかに記載の既存建屋の屋根葺き替えユニットであって、
前記作業用空間と前記可動床上方空間とは、前記屋根材が取り外された際に連通することを特徴とする既存建屋の屋根葺き替えユニット。
【請求項６】
請求項１乃至５のいずれかに記載の屋根葺き替えユニットを用いて、既存建屋の屋根を葺き替えることを特徴とする屋根葺き替え方法。
【発明の詳細な説明】
【技術分野】
【０００１】
本発明は、既存建屋の屋根葺き替えユニット及び屋根葺き替え方法に関する。
【背景技術】
【０００２】
現在、屋根材の裏面にアスベスト系断熱材が布設されている既存の建屋がある。このような既存建屋に対して屋根葺き替え工事を行う場合には、基本的には、周囲へのアスベストの飛散を防ぐべく、建屋全体をビニールシート等で覆って密閉する必要がある（特許文献１を参照）。
【先行技術文献】
【特許文献】
【０００３】
【特許文献１】特開２００６−４３６２０号
【発明の概要】
【発明が解決しようとする課題】
【０００４】
但し、アスベストが布設されていない屋根材の場合にも、塵や埃等の異物の飛散が想定されるため、その密閉性はアスベストの場合ほど高くないながらも、建屋全体をビニールシート等で覆うことが要求され得る。
【０００５】
更に、周囲への異物飛散が殆ど生じない場合でも、施主から所謂「居ながら施行」（建屋内の既設物を他の場所へ移さずに施行すること、又は、建屋内の居住を許しつつ施行すること）を求められることもあって、その場合には、屋根材を取り外した際にも建屋内に雨水が入り込まないように、少なくとも建屋の屋根を全面に亘ってシート等で覆うといった雨仕舞いが必要になる。
【０００６】
しかしながら、このように建屋全体をシート等で覆ったり、または、少なくとも建屋の屋根だけでも全面に亘って覆うというのは、多くの足場が必要になったり、足場を組む作業量も多くなり、その結果、屋根葺き替え工事の規模が大きくなって多大な費用がかかってしまう。そして、このような問題は、工場や倉庫等のような大きな建屋ほど顕著になる。
【０００７】
本発明はかかる従来の課題に鑑みて成されたもので、工場や倉庫等の大きな建屋でも、屋根葺き替え工事の規模の拡大を抑えることが可能な既存建屋の屋根葺き替えユニット及び屋根葺き替え方法を提供することを目的とする。
【課題を解決するための手段】
【０００８】
かかる目的を達成するために請求項１に示す既存建屋の屋根葺き替えユニットは、
桁行方向に並ぶ複数の屋根材で覆われて該屋根材毎に取り外し可能な既存建屋に使用される屋根葺き替えユニットであって、
前記既存建屋の梁間方向に関して前記既存建屋を挟んで互いに対向して立設された一対の脚部と、
前記既存建屋の上方にて前記一対の脚部に架け渡されて支持されて、前記既存建屋の屋根材上に屋根葺き替え作業用空間を区画形成するための作業用屋根部と、
前記脚部と地面との間に設けられて、前記一対の脚部と前記作業用屋根部とを一体に前記桁行方向に移動する移動機構と、を備えた既存建屋の屋根葺き替えユニットであって、
前記既存建屋内に、前記桁行方向に移動可能な可動床を有し、
前記可動床は、前記移動機構による前記作業用屋根部の移動に連動して、前記作業用屋根部と対向する下方に位置して移動し、
前記作業用空間は、前記既存建屋の屋根材と対面する下面のみを開口させながら、シート状又は板状の仕切部材によって側方を全周に亘って覆われて外部空間から仕切られ、
前記可動床から該可動床の上方の前記既存建屋の屋根材までに亘る可動床上方空間は、シート状の仕切部材によって、前記既存建屋内の空間から隔離されることを特徴とする。
【０００９】
また、前記梁間方向における、前記作業用空間の一方側には、仕切りシートを介して搬入用空間が設けられており、前記梁間方向における、前記作業用空間の他方側には、仕切りシートを介して排出用空間が設けられていることとしてもよい。
【００１０】
また、前記梁間方向を左右方向としたとき、前記開口の左辺と右辺には、当該左辺と前記既存建屋との隙間、及び、当該右辺と前記既存建屋との隙間をそれぞれ塞ぐためのシール部材が設けられており、前記脚部には、前記既存建屋の側面壁部の近傍まで張り出した支持部材を有し、前記シール部材の一端は、前記左辺及び右辺にそれぞれ取り付けられており、前記シール部材の他端は、前記支持部材に支持されており、前記シール部材は、前記左辺と前記既存建屋との隙間、及び、前記右辺と前記既存建屋との隙間を、それぞれ下方から覆って塞ぐこととしてもよい。
【００１１】
また、前記可動床の外周縁には、手摺り部が設けられており、前記可動床上方空間を前記シート状の仕切部材によって隔離する際には、当該仕切部材は、前記手摺り部を利用して上方へ立ち上げられて、葺き替え対象の前記屋根材の外側に位置する屋根材に取り付けられることとしてもよい。
【００１２】
また、上記の屋根葺き替えユニットを用いて、既存建屋の屋根を葺き替える屋根葺き替え方法も提供可能である。
【発明の効果】
【００１３】
本発明に係る既存建屋の屋根葺き替えユニット及び屋根葺き替え方法によれば、工場や倉庫等の大きな建屋でも、屋根葺き替え工事の規模の拡大を抑えることができる。
【図面の簡単な説明】
【００１４】
【図１】図１Ａは既存建屋１の平面図であり、図１Ｂには図１Ａ中のＢ−Ｂ断面図であり、図１Ｃは図１Ａ中のＣ−Ｃ断面図である。
【図２】屋根材５の斜視図である。
【図３】図３Ａは、屋根葺き替えユニットの平面図であり、図３Ｂは図３Ａ中のＢ−Ｂ断面図であり、図３Ｃは図３Ａ中のＣ−Ｃ断面図である。
【図４】図４Ａは外部ユニット３１の平面図であり、図４Ｂは図４Ａ中のＢ−Ｂ断面図であり、図４Ｃは図４Ａ中のＣ−Ｃ断面図である。
【図５Ａ】外部ユニット本体３３を前方から見た正面図である。
【図５Ｂ】図５Ａ中のＢ−Ｂ断面図である。
【図６】図６Ａ及び図６Ｂは、前端の屋根材５の葺き替えの場合に、建屋１の妻面に面した作業用足場が必要なことを説明するための図である。
【図７Ａ】足場ユニット６３を右側から見た側面図である。
【図７Ｂ】足場ユニット６３を前方から見た正面図である
【図７Ｃ】足場ユニット６３の使用状態及び不使用状態を示す側面図である。
【図８】図８Ａは、既存建屋１に配置された内部ユニット８１の正面図であり、図８Ｂは図８Ａ中のＢ−Ｂ断面図である。
【図９】図９Ａ乃至図９Ｄは、屋根葺き替えの順番を側面視で示す図である。
【図１０】図１０Ａは、内部ユニット８１の他の実施形態の正面図であり、図１０Ｂは、図１０Ａ中のＢ−Ｂ断面図である。
【発明を実施するための形態】
【００１５】
以下、本発明に係る既存建屋の屋根葺き替えユニット及び屋根葺き替え方法の実施形態について、図面を参照しながら詳細に説明する。  
なお、少なくとも、次の事項が開示されている。
【００１６】
かかる目的を達成するために第１に示す既存建屋の屋根葺き替えユニットは、
桁行方向に並ぶ複数の屋根材で覆われて該屋根材毎に取り外し可能な既存建屋に使用される屋根葺き替えユニットであって、
前記既存建屋の梁間方向に関して前記既存建屋を挟んで互いに対向して立設された一対の脚部と、
前記既存建屋の上方にて前記一対の脚部に架け渡されて支持されて、前記既存建屋の屋根材上に屋根葺き替え作業用空間を区画形成するための作業用屋根部と、
前記脚部と地面との間に設けられて、前記一対の脚部と前記作業用屋根部とを一体に前記桁行方向に移動する移動機構と、を備えたことを特徴とする。
【００１７】
上記第１に示す発明によれば、葺き替え対象（未葺き替え）の屋根材の位置へ作業用屋根部を桁行方向に移動し、その作業用屋根部の下方の作業用空間において、前記屋根材を新規の屋根材に交換したら、次ぎの葺き替え対象の屋根材の位置へ作業用屋根部を移動し、これら作業を順次繰り返すことにより、屋根材の葺き替えを建屋全体に亘って行う。
【００１８】
ここで、屋根を葺き替えるべく屋根材を既存建屋から取り外す際には、少なくとも葺き替え対象の屋根材は、当該位置へ移動してきた前記作業用屋根部によって上方を覆われている。よって、屋根材を取り外すことにより建屋に生じる開口から建屋内への雨水の浸入を、前記作業用屋根部の移動により防ぎ得て、その結果、既存建屋の屋根を全面に亘って覆わずに済み、もって屋根葺き替え工事の規模を小さく抑えることができる。
【００１９】
また、既存建屋が桁行方向に大きい場合には、作業用屋根部の桁行方向の移動ストローク量を長くするだけで対応可能なため、作業用屋根部自体の大きさについては、さほど拡大せずに済み、もって、既存建屋が大きい場合においても屋根葺き替え工事の規模の拡大を抑えることができる。
【００２０】
第２に示す発明は、第１に記載の既存建屋の屋根葺き替えユニットであって、
前記屋根葺き替えユニットは、前記既存建屋内に、前記桁行方向に移動可能な可動床を有し、
前記移動機構による前記作業用屋根部の移動に連動して、前記可動床は、前記作業用屋根部と対向する下方に位置して移動することを特徴とする。  
上記第２に示す発明によれば、前記作業用屋根部の移動に連動して、前記可動床は、前記作業用屋根部と対向する下方に位置して移動しているので、前記作業用空間からの落下物等を可動床が受け止める。よって、前記既存建屋内は安全である。
【００２１】
第３に示す発明は、第１又は２に記載の既存建屋の屋根葺き替えユニットであって、
前記既存建屋から取り外されて廃棄される屋根材を、前記作業用空間から搬出するための搬出用空間が、該作業用空間の前記梁間方向の一端に隣接して設けられているとともに、
新規の屋根材を前記作業用空間へ搬入する搬入用空間が、該作業用空間の前記梁間方向の他端に隣接して設けられており、
前記作業用空間には、前記廃棄される屋根材及び前記新規の屋根材を吊り上げて前記梁間方向に沿って搬送するホイストが設けられていることを特徴とする。  
上記第３に示す発明によれば、前記作業用空間の一端に隣接して搬入用空間が設定され、他端に隣接して搬出用空間が設定されている。よって、屋根材を一方通行的に搬送できて、搬送経路の錯綜を防ぐことができ、その結果、葺き替え作業効率を高めることができる。  
また、前記作業用空間にはホイストが設けられているので、廃棄される屋根材の搬出及び新規の屋根材の搬入を容易にできて、葺き替え作業効率を更に高めることができる。
【００２２】
第４に示す発明は、第３に記載の既存建屋の屋根葺き替えユニットであって、
前記搬出用空間には、前記作業用空間から搬出された屋根材を切断する切断装置が設けられ、
前記搬出用空間に近接する位置には、前記切断された屋根材を地上へ荷下ろしする荷下ろし用空間が設けられていることを特徴とする。  
上記第４に示す発明によれば、搬出用空間の切断装置が屋根材を切断する。よって、前記荷下ろし用空間を介して屋根材を地上へ荷下ろしする際には、屋根材はコンパクトな小片になっているので、地上への荷下ろしは、ホイスト等の小型の起重機で事足りる。よって、ラフタークレーン等の大型の起重機を用意せずに済む。
【００２３】
第５に示す発明は、第３又は４に記載の既存建屋の屋根葺き替えユニットであって、
前記搬入用空間の前記梁間方向に隣接して、屋根材成型装置が配置されており、
該屋根材成型装置は、コイル材から帯状の板材を前記梁間方向に繰り出しつつ、前記梁間方向に平行な折れ線の波形状に屈曲して前記新規の屋根材を成型することを特徴とする。  
上記第５に示す発明によれば、屋根材をコイル材の形態で屋根葺き替えユニットに搬入できるので、搬入し易い等ハンドリング性に優れる。また、既存建屋の屋根を葺き替える直前までは屋根材はコイル材の形態で保管されていて嵩張らないことから、その置き場スペースを小さくできる。
【００２４】
第６に示す発明は、第１乃至５のいずれかに記載の既存建屋の屋根葺き替えユニットであって、
前記作業用空間は、前記既存建屋の屋根材と対面する下面のみを開口させながら、シート状又は板状の仕切部材によって側方を全周に亘って覆われて外部空間から仕切られていることを特徴とする。  
上記第６に示す発明によれば、前記作業用空間は、その側方を全周に亘って前記仕切部材により覆われて外部空間から仕切られている。よって、当該作業用空間は、上方からの風雨を前記作業用屋根部で防ぎ得るだけでなく、側方から吹きつける風雨も前記仕切部材で防ぐことができる。その結果、前記作業用空間への雨水の浸入を確実に防ぎ得るとともに、前記作業用空間内にて既存建屋の屋根材を取り外した際に形成される開口を通して、既存建屋内に雨水が浸入することも確実に防止できる。  
また、屋根材の葺き替えに伴って飛散し得る塵や埃等の異物を、前記作業用空間内へ閉じ込めることができるので、外部空間への異物飛散を防ぎ得て、外部空間の汚損を防止できる。
【００２５】
第７に示す発明は、第６に記載の既存建屋の屋根葺き替えユニットであって、
前記屋根葺き替えユニットは、前記移動機構による前記作業用屋根部の移動と連動して、該作業用屋根部と対向する下方に位置して移動する可動床を、前記既存建屋内に有し、
前記可動床から該可動床の上方の前記既存建屋の屋根材までに亘る可動床上方空間を、前記既存建屋内の空間から隔離するためのシート状の仕切部材を有することを特徴とする。  
上記第７に示す発明によれば、屋根材の葺き替えに伴って飛散し得る塵や埃等の異物を、可動床上方空間内へ閉じ込めることができる。よって、既存建屋内への異物飛散を防ぎ得て、建屋内区間の汚損を防止できる。
【００２６】
第８に示す発明は、第７に記載の既存建屋の屋根葺き替えユニットであって、
前記可動床上方空間及び前記作業用空間の気圧を、これら空間の周囲の気圧よりも低くするためのブロワを備えたことを特徴とする。  
上記第８に示す発明によれば、前記可動床上方空間及び前記作業用空間の気圧を、これら空間の周囲の気圧よりも低くできるので、前記可動床上方空間や前記作業用空間を仕切る前記仕切部材同士の取り合いにおいて隙間があるような場合でも、そのような隙間からの異物の飛散を確実に防止し得る。よって、屋根材からの異物の飛散防止に関する厳格な基準のある工事の場合、例えば、屋根材に石綿が取り付けられている既存建屋に対する屋根葺き替え工事に対しても、好適に用いることができる。
【００２７】
第９に示す発明は、第１乃至８のいずれかに記載の屋根葺き替えユニットを用いた既存建屋の屋根葺き替え方法であって
葺き替え対象の屋根材の上方に前記作業用屋根部を移動する移動ステップと
前記作業用屋根部の移動の停止中に、該作業用屋根部の下方に位置する葺き替え対象の屋根材を取り外して新規の屋根材に交換する屋根材交換ステップと、を有することを特徴とする。  
上記第９に示す発明によれば、既存建屋の屋根を全面に亘って覆わずとも、前記作業用屋根部によって建屋内への雨水の浸入を防ぐことができて、結果、屋根葺き替え工事の規模を小さく抑えることができる。  
また、既存建屋が桁行方向に大きい場合には、作業用屋根部の桁行方向の移動ストローク量を大きくするだけで対応可能なため、作業用屋根部自体の大きさについては、さほど拡大せずに済み、もって、屋根葺き替え工事の規模の拡大を抑えることができる。
【００２８】
第１０に示す発明は、第９に記載の既存建屋の屋根葺き替え方法であって、
前記移動ステップにおいては、前記桁行方向に互いに隣り合う前記作業用空間同士が、前記桁行方向に関して重複するように、前記作業用屋根部の前記桁行方向の停止位置が決められるとともに、
前記作業用空間の前記桁行方向の端縁が、葺き替え済みの屋根材の上方に位置するように作業用屋根部の前記桁行方向の停止位置が決められることを特徴とする。  
上記第１０に示す発明によれば、前記作業用屋根部の停止位置は、前記作業用空間の前記桁行方向の端縁が、葺き替え済みの屋根材の上方に位置するように決められるので、当該作業用空間内に、葺き替え対象の屋根材の端縁を完全に収めることができる。よって、葺き替え対象の屋根材の取り外し作業を、前記作業用空間内において確実に行うことができる。
【００２９】
第１１に示す発明は、第９又は１０に記載の既存建屋の屋根葺き替え方法であって、
前記既存建屋は、前記梁間方向よりも前記桁行方向の方が長いことを特徴とする。  
上記第１１に示す発明によれば、既存建屋が桁行方向に長いことに対しては、作業用屋根部の桁行方向の移動ストローク量を長くするだけで対応可能なため、前記屋根葺き替えユニットの大きさをコンパクトにしながらも、大きな既存建屋の屋根の葺き替えを行うことができる。
【００３０】
＜＜＜既存建屋１＞＞＞
図１Ａ乃至図１Ｃは、既存建屋１の説明図である。図１Ａには平面図を示し、図１Ｂには図１Ａ中のＢ−Ｂ断面図を、また、図１Ｃには図１Ａ中のＣ−Ｃ断面図を示している。なお、以下では、既存建屋１の桁行方向を前後方向とも言い、梁間方向を左右方向とも言う。また、図１Ａ中では、既存建屋１の棟３の右側の屋根材５を取り外して示している。
【００３１】
既存建屋１（以下、建屋と言う）は、例えば工場や倉庫として使用される平屋であり、その外観形状は、梁間方向よりも桁行方向に長い略直方体である。屋根は切り妻造りであり、つまり梁間方向の中央の棟３を境に、その高さは、梁間方向の両端の軒先にかけて適宜な水勾配で徐々に低くなっている。
【００３２】
建屋１の支持架構は、建屋１の床面ＢＳに立設された複数の門型フレーム７を本体とする。各門型フレーム７は、それぞれに、梁間方向に所定間隔を隔てて立設された一対の柱部８，８と、これら一対の柱部８，８の上端部に架け渡された梁部９とから構成されており、これら門型フレーム７は、桁行方向に所定ピッチで配置されている。
【００３３】
そして、桁行方向に互いに隣り合う柱部８，８同士の間には、側面壁部１１が貼り渡されているとともに、桁行方向の両端の門型フレーム７には、それぞれ、一対の柱部８，８同士の間に前面壁部１３及び後面壁部１５が貼り渡されて四方が囲まれ、これにより、建屋１の内部には、図１Ｂに示すように、門型フレーム７の内側空間の立面と略同形の立面が桁行方向に連続してなる一つの大空間ＳＰ０が区画形成されている。
【００３４】
各梁部９は、上述の水勾配に対応させて棟３の部分にて屈折した略へ字状部材である。そして、桁行方向に隣り合う梁部９，９同士の間には、複数の母屋材１７が梁間方向に適宜ピッチで架け渡されているとともに、これら母屋材１７の上には、複数の屋根材５が敷設されてボルト止めされている。
【００３５】
各屋根材５は、梁間方向に長い帯状の鋼板であり、その長さは、棟３から軒先までに亘る長さを有している。そして、これら屋根材５は、桁行方向に並んで配置されており、桁行方向に隣り合う屋根材５，５同士は、互いの端縁にて、はぜ継ぎが施されて連結され、これにより、桁行方向に並ぶ全ての屋根材５が連結一体化されて建屋１の屋根をなしている。よって、母屋材１７との止めボルトを外すとともに、はぜ継ぎを外せば、屋根材一枚単位で取り外し可能である。
【００３６】
ちなみに、当該屋根材５は、所謂折版である。つまり、帯状の鋼板が、図２の斜視図に示すように、梁間方向に沿う折れ線にて山谷の波形状に屈曲加工されてなり、これにより屋根材５の剛性が高められている。また、屋根材５の下面には、耐火被覆目的でアスベスト系断熱材が布設されている。
【００３７】
＜＜＜屋根葺き替えユニット＞＞＞
図３Ａ乃至図３Ｃは、屋根葺き替えユニットの説明図であり、既存建屋１に屋根葺き替えユニットが配置された状態を示している。図３Ａは平面図、図３Ｂは図３Ａ中のＢ−Ｂ断面図、図３Ｃは図３Ａ中のＣ−Ｃ断面図である。
【００３８】
屋根葺き替えユニットは、建屋外に配置される外部ユニット３１と、建屋内に配置される内部ユニット８１とを有する。外部ユニット３１は、屋根材５の葺き替え作業時に生じ得るアスベスト等の異物の建屋外飛散を防ぐものであり、つまり、建屋１の屋根材５の上面に近接してその上方に略密閉状の屋根葺き替え作業用空間ＳＰ１１を区画形成し（図中、薄い網掛けで示す範囲を参照）、当該作業用空間ＳＰ１１内に異物を封じ込める。この外部ユニット３１は建屋１の桁行方向へ移動可能であり、もって、葺き替え対象の屋根材５の交換が終わったら、前記作業用空間ＳＰ１１が次ぎの葺き替え対象の屋根材５の上方に位置するように移動する。
【００３９】
他方、内部ユニット８１は、屋根材５の葺き替え作業時に生じ得るアスベスト等の異物の建屋内飛散を防ぐものであり、つまり、建屋１の屋根材５の下面に隣接してその下方に略密閉状の隔離空間ＳＰ２１を区画形成し（図中、薄い網掛けで示す範囲を参照）、当該隔離空間ＳＰ２１内に異物を封じ込める。この内部ユニット８１も、桁行方向へ移動可能であるとともに、前記隔離空間ＳＰ２１が前記作業用空間ＳＰ１１の下方に位置するように移動する。
【００４０】
よって、この屋根葺き替えユニットによれば、桁行方向に沿って葺き替え対象の屋根材５の位置へ外部ユニット３１及び内部ユニット８１を移動し、前記作業用空間ＳＰ１１と前記隔離空間ＳＰ２１との間に在る屋根材５を新規の屋根材５に交換したら、次ぎの葺き替え対象の屋根材５の位置へ外部ユニット３１及び内部ユニット８１を移動し、これを順次繰り返すことにより、屋根材５の葺き替えを建屋１の全長に亘って行うことになる。
【００４１】
つまり、葺き替え対象の屋根材５の位置へ外部ユニット３１及び内部ユニット８１が移動するので、外部ユニット３１の作業用空間ＳＰ１１及び内部ユニット８１の隔離空間ＳＰ２１は、それぞれに、当該葺き替え対象の屋根材５のみを覆い得るサイズであれば十分であり、もって、屋根葺き替え工事に際して建屋１の全体をシート等で覆わずに済み、結果、屋根葺き替え工事の規模を小さく抑えることができる。
【００４２】
また、桁行方向に大きい建屋１に対しては、後述のレールＲを長くするというように、外部ユニット３１及び内部ユニット８１の桁行方向の移動ストローク量を長くしてやれば、外部ユニット３１及び内部ユニット８１のサイズを特に大きくしなくても対処可能である。よって、桁行方向に大きい建屋１に対しては、特に有効に屋根葺き替え工事の規模の拡大を抑えることができる。  
以下、外部ユニット３１と内部ユニット８１について説明する。
【００４３】
＜外部ユニット３１＞
図４Ａ乃至図４Ｃは、何れも、既存建屋１に外部ユニット３１が配置された状態を示しており、図４Ａはその平面図、図４Ｂは図４Ａ中のＢ−Ｂ断面図、図４Ｃは図４Ａ中のＣ−Ｃ断面図である。
【００４４】
外部ユニット３１は、図中太線で示すように、梁間方向に建屋１を挟んで互いに対向して立設された一対の脚部３５，３５と、建屋１の上方にて前記一対の脚部３５，３５に架け渡されて支持されて、内側に前記作業用空間ＳＰ１１を区画形成する作業用空間区画部３７とからなる門型構造体３３を本体（以下、外部ユニット本体３３と言う）とする。そして、当該外部ユニット本体３３は、前記脚部３５と地面Ｇとの間に設けられた移動機構によって、桁行方向に移動可能である。
【００４５】
（１）移動機構
移動機構は、建屋外の地面Ｇに、梁間方向に建屋１を挟んで配置された一対のレール群ＲＧ，ＲＧと、レール群ＲＧのレールＲ上を転動し、外部ユニット本体３３の前記脚部３５に設けられ外部ユニット本体３３を支持する複数の車輪（不図示）と、外部ユニット本体３３を桁行方向に牽引するウインチ（不図示）と、を有する。
【００４６】
各レールＲは、その長手方向を建屋１の桁行方向に揃えつつ、その長さは、建屋１から桁行方向の前後にはみ出す長さに設定されている。よって、外部ユニット本体３３を、建屋１の桁行方向の全長に亘る任意の位置に移動可能である。また、ウインチは、例えば、外部ユニット本体３３の前方及び後方の各地面Ｇに配置されており、そして、各ウインチのワイヤーは、それぞれに、外部ユニット本体３３に連結されている。よって、前側のウインチでワイヤーが巻き取られれば、その巻き取り量に応じた距離だけ前方へ外部ユニット本体３３は牽引されて移動する一方、後側のウインチでワイヤーが巻き取られれば、その巻き取り量に応じた距離だけ後方へ外部ユニット本体３３は牽引されて移動する。
【００４７】
ちなみに、レールＲやウインチを用いずに移動機構を構成しても良く、例えば、外部ユニット本体３３を支持するタイヤと、タイヤを駆動回転するモーターとを使用して、外部ユニット本体３３を自走可能にしても良い。
【００４８】
（２）外部ユニット本体３３
外部ユニット本体３３の前記一対の脚部３５，３５は、何れも、枠組足場が略直方体状に組まれたものであり、その高さは、ほぼ建屋１の軒高と同高である。そして、一対の脚部３５，３５の上面には、それぞれに天板３６が敷設され、更に、これら天板３６の上には、前記作業用空間区画部３７の両端部が載置固定され、これにより、作業用空間区画部３７は、梁間方向に建屋１を跨いで一対の脚部３５，３５に架け渡されて両端支持されている。
【００４９】
作業用空間区画部３７は、梁間方向に長い略直方体の外形形状を呈する。その外形寸法は、この内側に区画形成される前記作業用空間ＳＰ１１内で葺き替え作業を無理なく行えるような十分な大きさに設定される。例えば、高さについては、作業者の身長よりも高く設定される一方、桁行方向の大きさについては、前記作業用空間ＳＰ１１において桁行方向に並ぶ二枚の屋根材５，５のうちの一方を取り外す際にもう一方の屋根材５を作業床として互いに使用すべく、少なくとも二枚分の屋根材５の桁行方向の幅寸よりも大きいサイズに設定される。
【００５０】
この外形形状を維持するための骨組みフレームは、左側の脚部３５の天板３６の４つの出隅部に立設固定される４本の支柱（不図示）と、右側の脚部３５の天板３６の４つの出隅部に立設固定される４本の支柱（不図示）と、これら左右の脚部３５，３５の前記支柱の上端部に架け渡されて、建屋１の上方を梁間方向に跨いで配置される前後一対の梁部（不図示）と、を備えている。
【００５１】
そして、この骨組みフレームは、建屋１の屋根と対向する下面以外の５つの面、すなわち、上面３７ａ、前面３７ｂ、後面３７ｃ、右面３７ｄ、及び左面３７ｅにおいて、鉄板や塩ビ板等の金属製又は樹脂製の仕切板（仕切部材に相当）で気密に覆われており、これにより、内側には、外部空間と仕切られた略閉空間ＳＰ１が区画形成されている。ここで、下面に仕切板が設けられず底無し状になっているのは、作業用空間ＳＰ１１内の作業者が建屋１の屋根材５に乗って葺き替え作業をするためである。また、前面３７ｂ及び後面３７ｃに配置される仕切板は、それぞれに、建屋１の屋根の切り妻形状に対応させて、その下端縁が三角形状に切り欠かれており、これにより、外部ユニット本体３３の桁行方向の移動の際に、建屋１の屋根と干渉しないようになっている。
【００５２】
なお、上記の仕切板の代わりにビニールシート等のシート状部材で各面３７ａ，３７ｂ，…３７ｅを覆っても良いが、風雨に対抗するには、作業用空間区画部３７に適度な剛性が必要であり、このことから、好ましくは、上記の仕切板の如き板材で前記各面３７ａ，３７ｂ，…３７ｅを覆って骨組みフレームを補強する方が良い。また、上面３７ａに配置される仕切板は、作業用空間区画部３７の屋根部（作業用屋根部に相当）となるので、前記閉空間ＳＰ１への採光の観点からは透明板や半透明板を用いるのが好ましい。
【００５３】
この作業用空間区画部３７内の前記閉空間ＳＰ１は、更に、ビニールシート等の仕切シート３９，３９によって、梁間方向に三つの空間ＳＰ１１，ＳＰ１２，ＳＰ１３に仕切られている。すなわち、建屋１の屋根の直上に位置する前記作業用空間ＳＰ１１と、右側の脚部３５の天板３６直上に位置する搬入用空間ＳＰ１２と、左側の脚部３５の天板３６直上に位置する搬出用空間ＳＰ１３とに区画されている。
【００５４】
そして、右側の搬入用空間ＳＰ１２からは新規の屋根材５が作業用空間ＳＰ１１へ搬入される一方、作業用空間ＳＰ１１において建屋１から取り外された屋根材５は、左側の搬出用空間ＳＰ１３へと搬出される。よって、屋根材５の搬送方向を右から左への一方向に統一できて謂わば一方通行的に屋根材５は搬送されるので、搬送経路の錯綜を防止でき、葺き替え作業効率を高めることができる。
【００５５】
また、これら三つの空間ＳＰ１２，ＳＰ１１，ＳＰ１３に跨って、ホイスト４０のレール４０ａが梁間方向に連続して配置されており、レール４０ａには複数のウインチ４０ｂがレール４０ａに沿って移動可能に吊り下げられている。よって、屋根材５の搬入及び搬出を、上記ホイスト４０により行うことができて、葺き替え作業効率を更に高めることができる。
【００５６】
ちなみに、搬入用空間ＳＰ１２及び搬出用空間ＳＰ１３の床部は、それぞれに、上述の右側の脚部３５の天板３６及び左側の脚部３５の天板３６である。そして、これら天板３６は、更に、各脚部３５の内側の空間と、搬入用空間ＳＰ１２及び搬出用空間ＳＰ１３とを気密に仕切るための仕切板としても機能する。よって、作業用空間区画部３７の下面の矩形開口の前辺Ｌ１及び後辺Ｌ２は、上記の前面３７ｂ及び後面３７ｃの仕切板の下端縁で規定されているが、右辺Ｌ３及び左辺Ｌ４については、上記の天板３６の内辺で規定される。
【００５７】
搬出用空間ＳＰ１３と作業用空間ＳＰ１１との間の仕切シート３９には、建屋１から取り外された屋根材５を通すための扉（不図示）が形成されており、屋根材５が通る時には扉は開き、通らない時には略密閉状態に閉まる。搬出用空間ＳＰ１３には、切断装置４３が配置されており、この切断装置４３は、作業用空間ＳＰ１１から当該搬出用空間ＳＰ１３へ搬出された屋根材５を、駆動回転刃等により小片に切断する。また、搬出用空間ＳＰ１３の後方に隣接させて、予備空間ＳＰ１４が設けられており、その更に後方には荷下ろし用空間ＳＰ１５が設けられている。よって、切断装置４３により小片に切断された屋根材５は、アスベストが透過不能な素材の袋に収容されて封口された後、予備空間ＳＰ１４を経て荷下ろし用空間ＳＰ１５へ水平搬送され、荷下ろし用空間ＳＰ１５が具備する小型のホイスト（不図示）により地上へ荷下ろしされる。なお、ここで小型のホイストで十分なのは、屋根材５が切断装置４３で小片に切断されていて、前記袋への屋根材５の収容重量を調整できるからである。また、予備空間ＳＰ１４を設けている理由は、荷下ろし用空間ＳＰ１５を介して外部空間の空気が搬出用空間ＳＰ１３へ流入するのを防ぐためである。すなわち、搬出用空間ＳＰ１３には、後述するように当該搬出用空間ＳＰ１３等を負圧にするための除塵機（不図示）が設けられているが、他方、荷下ろし用空間ＳＰ１５は外部空間と連通している。よって、搬出用空間ＳＰ１３が荷下ろし用空間ＳＰ１５に直結していると、搬出用空間ＳＰ１３から荷下ろし用空間ＳＰ１５への前記袋の排出の都度、搬出用空間ＳＰ１３には空気が流入することになって、その結果、前記搬出用空間ＳＰ１３等を負圧に維持し難くなるためである。
【００５８】
他方、搬入用空間ＳＰ１２と作業用空間ＳＰ１１との間の仕切シート３９にも、屋根材５が通るサイズの扉（不図示）が形成されており、更に、搬入用空間ＳＰ１２を挟んで前記仕切シート３９の反対側の壁面、すなわち作業用空間区画部３７の右面３７ｄの仕切板にも、同サイズの扉（不図示）が形成されている。これら扉は、何れも、新規の屋根材５を作業用空間ＳＰ１１へ取り込むためのものであり、すなわち、作業用空間区画部３７の外で成型された新規の屋根材５は、前記右面３７ｄの仕切板の扉を通って搬入用空間ＳＰ１２へ取り込まれた後、前記仕切シート３９の扉を通って作業用空間ＳＰ１１へ送られる。なお、これら扉も、屋根材５が通る時には開き、通らない時には略密閉状態に閉まる。
【００５９】
搬入用空間ＳＰ１２の梁間方向に隣接する位置には、外部ユニット本体３３の脚部３５とほぼ同高のステージ４５が一体に設けられており、このステージ４５（以下、屋根材成型ステージとも言う）には、屋根材成型装置４７が載置されている。屋根材成型装置４７は、コイル材Ｃから帯状の鋼板を梁間方向に繰り出すリール４７ａと、繰り出された鋼板Ｐを前記梁間方向に平行な折れ線の波形状に屈曲加工して折版を成型するプレス機４７ｂと、を有している。そして、プレス機４７ｂは、鋼板Ｐの投入口を梁間方向のリール４７ａ側たる右側に向け、且つ、折版の排出口を梁間方向の搬入用空間ＳＰ１２側たる左側に向けて配置されている。よって、屋根材成型装置４７にて成型された折版は、梁間方向に沿って搬入用空間ＳＰ１２へ向けて送出されて、前記排出口近傍のシャー装置（不図示）によって新規の屋根材５の必要長さに切断される。
【００６０】
なお、ここで、作業用空間ＳＰ１１のホイスト４０のレール４０ａは、前述したように、当該搬入用空間ＳＰ１２にまで達している。よって、搬入用空間ＳＰ１２に送出された折版たる新規の屋根材５は、前記ホイスト４０のウインチ４０ｂに吊り下げられた後、ウインチ４０ｂごとレール４０ａに案内されて作業用空間ＳＰ１１内へ即座に搬送され、これにより、葺き替え作業効率を更に高めることができる。
【００６１】
また、この屋根材成型ステージ４５の前方に隣接する位置には、資材置き台４９が一体に設けられており、当該資材置き台４９は、資材を屋根材成型ステージ４５へ荷揚げするためのホイスト（不図示）も備えている。よって、必要な資材を即座に作業用空間ＳＰ１１へ搬送可能である。なお、この資材置き台４９の平面サイズは、比較的小スペースである。この理由は、新規の屋根材５は、建屋１に取り付けられる直前に、屋根材成型装置４７によりコイル材Ｃから成型されるため、資材置き台４９にはコイル材Ｃの形態で保管されていて嵩張らないからである。
【００６２】
更に、搬入用空間ＳＰ１２の後方には、これに隣接させて一体に浄化室ＳＰ１６が設けられている。この浄化室ＳＰ１６は、作業用空間ＳＰ１１で葺き替え作業に従事した作業者が外部空間へ出る際に、外部空間へのアスベスト等の異物の持ち出しを防ぐための部屋であり、搬入用空間ＳＰ１２の後面３７ｃの仕切板に形成されたドアを介して搬入用空間ＳＰ１２から入ることができる。そして、この浄化室ＳＰ１６には、作業者に付着した異物を吹き飛ばすエアーシャワー装置が設けられており、浄化された作業者は、浄化室ＳＰ１６の屋外に面したドアを介して外部空間へ出ていく。
【００６３】
なお、この外部空間への異物飛散防止に関連して、前記搬出用空間ＳＰ１３には除塵機（不図示）が配置されている。この除塵機は、ブロワによって搬出用空間ＳＰ１３の空気を筐体内に取り込んで、取り込んだ空気を除塵フィルターにて濾過後に、当該浄化空気を作業用空間区画部３７の外たる外部空間に排出する。よって、除塵機の作動中には、除塵機に吸い込まれる空気量分、搬出用空間ＳＰ１３、作業用空間ＳＰ１１、及び搬入用空間ＳＰ１２の気圧は、外部空間の気圧よりも低くなる。つまり、作業用空間区画部３７内の閉空間ＳＰ１は負圧状態になり、その結果、当該閉空間ＳＰ１と外部空間とを仕切る作業用空間区画部３７の前記仕切板の取り合いにおいて隙間があるような場合でも、そのような隙間からは、主に外部空間から前記閉空間ＳＰ１へと空気が流入されるので、異物の外部空間への漏出は有効に防止される。
【００６４】
ここで、特に大きくなり得る隙間としては、前記作業用空間ＳＰ１１の下面が矩形状に開口していることから、当該下面の矩形開口と建屋１との間の隙間が挙げられる。よって、この矩形開口の四辺たる前辺Ｌ１、後辺Ｌ２、右辺Ｌ３、左辺Ｌ４には、それぞれに、建屋１との隙間を塞ぐためのシール部材５１，５５が設けられている。
【００６５】
図５Ａ及び図５Ｂは、これらシール部材５１，５５の説明図である。図５Ａには、外部ユニット本体３３を前方から見た正面図を示し、図５Ｂには、図５Ａ中のＢ−Ｂ断面図を示している。
【００６６】
先ず、前記矩形開口の前辺Ｌ１及び後辺Ｌ２に設けられるシール部材５１について説明する。図４Ａ及び図４Ｂに示すように、前記矩形開口の前辺Ｌ１及び後辺Ｌ２は、それぞれに、作業用空間ＳＰ１１の前面３７ｂを覆う仕切板の下端縁と、作業用空間ＳＰ１１の後面３７ｃを覆う仕切板の下端縁とに相当する。そして、図５Ａに示すように、これら各下端縁Ｌ１，Ｌ２と屋根材５との間には各々隙間があるが、これらの隙間は、外部ユニット本体３３が建屋１の上方を桁行方向に移動する際に、屋根材５と外部ユニット本体３３との干渉を防ぐべく必要なものである。但し、外部ユニット本体３３の停止中にあっては、隙間は開いていなくても良いため、この実施例では、図５Ａに示すように、前記前面３７ｂ及び前記後面３７ｃの仕切板の下端縁Ｌ１，Ｌ２には、外部ユニット本体３３の停止中に前記隙間を塞ぐための帯状のシール板５１が設けられている。
【００６７】
詳しくは、図５Ｂに示すように、前記下端縁Ｌ１，Ｌ２に固定されたヒンジ軸５２を介してシール板５１の基端部が前記下端縁Ｌ１，Ｌ２に沿って支持されており、これにより、シール板５１の先端部は、ヒンジ軸５２回りに上下旋回可能になっている。そして、シール板５１の先端部が上方を向くように旋回して、図中の二点鎖線のように前記仕切板の外面に重なると、前記隙間が開いた状態になる一方、その状態から、上述と逆向きに旋回して先端部が下方を向くと、図中の実線のようにシール板５１の先端部は、前記仕切板の下端縁Ｌ１，Ｌ２よりも下方に垂れ下がって、屋根材５の山部と谷部との間の斜面部５ａに当接し、これにより隙間が塞がれる。なお、上述の除塵機により前記作業用空間ＳＰ１１が負圧状態にされれば、このシール板５１は前記隙間によって作業用空間ＳＰ１１側へ吸引されて屋根材５へ押し付けられるようになるため、その密閉性は更に向上する。また、ヒンジ軸５２にトーションスプリングを設けて、その捻りばね力でシール板５１を下方に旋回する方向に付勢すれば、上記の屋根材５への押し付け力が更に高まるので、密閉性を一層向上させることができる。
【００６８】
ちなみに、前記仕切板の外面には、シール板５１が重なった状態で係止するフック材等の係止部材（不図示）も設けられており、もって、外部ユニット本体３３の移動中には、この係止部材によってシール板５１は前記仕切板の外面に重なった状態に保持される。一方、外部ユニット本体３３が停止した際には、係止部材の係止が解除されることにより、シール板５１が屋根材５へ向けて旋回して当接し、作業用空間ＳＰ１１を密閉状態にする。このようなシール板５１の素材としては、硬質ゴム等の弾性体が挙げられる。
【００６９】
次に、作業用空間ＳＰ１１の下面の矩形開口の右辺Ｌ３及び左辺Ｌ４に設けられるシール部材５５について説明する。図５Ａに示すように、これらシール部材５５は、前記矩形開口の右辺Ｌ３と建屋１との間の隙間、及び、前記矩形開口の左辺Ｌ４と建屋１との間の隙間を塞ぐべく設けられるものであり、例えば、ビニールシート等のシート状部材５５である。そして、各シート状部材５５の一端は、前記右辺Ｌ３又は左辺Ｌ４に気密に取り付けられているとともに、他端５５ｂは、前記脚部３５建屋１の側面壁部１１近傍まで張り出した支持部材５６に支持されており、これにより、シート状部材５５は、前記隙間を下方から覆って塞いでいる。
【００７０】
ところで、上述した前辺Ｌ１のシール板５１及び後辺Ｌ２のシール板５１にあっては、建屋１との隙間を塞ぐべく、前記シール板５１を葺き替え対象の屋根材５よりも後方又は前方に位置する屋根材５に当接させている（図５Ｂを参照）。ところが、桁行方向の前端又は後端の屋根材５の葺き替えの際には、桁行方向の隣には屋根材５が無い。例えば、図６Ａに示す前端の屋根材５の場合には、それよりも前方に屋根材５が無く、また、後端の屋根材５の場合には、それよりも後方に屋根材５が無い。それ故、前端の屋根材５の葺き替えの際には、作業用空間ＳＰ１１の下面の矩形開口の前辺Ｌ１側の隙間をシール板５１で塞ぐことができず、また、後端の屋根材５の葺き替えの際には、同じく前記矩形開口の後辺Ｌ２側の隙間をシール板５１で塞ぐことができない。
【００７１】
そこで、この実施例では、前端の屋根材５を葺き替える場合には、図６Ｂに示すように、作業用空間区画部３７の前面３７ｂの仕切板に気密に取り付けられた養生シート６１を建屋１の妻面たる前面壁部１３まで引き出して貼り付け、これにより、前記矩形開口の前辺Ｌ１側の隙間を塞ぐようにしている。同様に、後端の屋根材５を葺き替える場合には、作業用空間ＳＰ１１の後面３７ｃの仕切板に気密に取り付けられた養生シート（不図示）を建屋１の妻面たる後面壁部１５まで引き出して貼り付け、これにより前記矩形開口の後辺Ｌ２側の隙間を塞ぐようにしている。
【００７２】
但し、この養生シート６１の前面壁部１３及び後面壁部１５への貼り付け作業を行うには、建屋１の妻面に対面しつつ建屋１よりも桁行方向の外側の位置に作業足場が必要となる。そこで、この外部ユニット本体３３では、この養生シート６１を妻面に貼り付ける際に用いる足場ユニット６３を作業用空間区画部３７内に搭載している。
【００７３】
図７Ａ乃至図７Ｃに、足場ユニット６３の説明図を示す。図７Ａは、足場ユニット６３を右側から見た側面図であり、図７Ｂは、足場ユニット６３を前方から見た正面図であるまた、図７Ｃは、足場ユニット６３の使用状態及び不使用状態を示す側面図である。
【００７４】
図７Ａに示すように、足場ユニット６３は、前端の屋根材５用及び後端の屋根材５用に各々設けられ、前者は、作業用空間区画部３７の前面３７ｂの仕切板に取り付けられている一方、後者は、作業用区間区画部３７の後面３７ｃの仕切板に取り付けられている。なお、両者とも同構成のため、以下では前者について説明する。
【００７５】
図７Ａに示すように、前端用の足場ユニット６３は、外部ユニット本体３３の作業用空間ＳＰ１１が建屋１の屋根の前端縁５ｂを前後に跨いで配置された状態で使用される。すなわち、不使用時には、図７Ｃの中央に示すように折り畳まれた状態で作業用空間ＳＰ１１内に収容されているが、使用時には、図７Ｃの左側に示すように下方にスライドされた後に建屋１の方へ向けて拡げられ、これにより、建屋１の前面壁部１３と作業用空間区画部３７の前面３７ｂの仕切板との間に水平な作業足場６４が形成される。
【００７６】
詳しくは、図７Ａ及び図７Ｂに示すように、足場ユニット６３は、作業足場としての平板状の床板６４と、この床板６４を支持すべく梁間方向に適宜ピッチで配置された複数のリンク機構６５，６５，…６５とを有する。各リンク機構６５は、それぞれに、作業用空間区画部３７の前面３７ｂを覆う仕切板に上下スライド可能に案内支持された縦材６５ａと、縦材６５ａの上端部に水平ピン６６を介して旋回可能に連結された斜材６５ｂとを有する。また、縦材６５ａの下端部には、水平ピン６６を介して床板６４の一端部が鉛直方向から水平方向までに亘る９０°だけ旋回可能に連結されており、更に床板６４の他端部には、手摺りフレーム６７が水平ピン６６により床板６４と平行な状態から垂直な状態までの９０°だけ旋回可能に連結されている。
【００７７】
よって、不使用時においては、図７Ａ中二点鎖線で示すように、足場ユニット６３は折り畳まれて作業用空間ＳＰ１１内に格納されているが、使用時には、同図中実線で示すように、先ず、縦材６５ａが下方へスライドして下端部が作業用空間ＳＰ１１から下方に突出するとともに、縦材６５ａと重なって鉛直状態にあった床板６４が、９０°旋回して建屋１の方へ倒れて水平状態になり、更に、この水平状態の床板６４に対して手摺りフレーム６７が９０°旋回して鉛直に立ち上がり、最後に、この手摺りフレーム６７の上端部に前記斜材６５ｂの端部が連結されれば、作業足場６４が形成される。そして、この作業足場６４が形成されたら、前面３７ｂの仕切板に気密に取り付けられた前記養生シート６１（不図示）が、作業足場６４の上面に被さって覆うとともに、養生シート６１の先端縁は、建屋１の妻面たる前面壁部１３まで引き延ばされて密着され、これにより、作業用空間ＳＰ１１の矩形開口の前側の隙間が塞がれて、もって外部空間への異物の飛散が防止される。ちなみに、不使用時の際には、上記の逆操作をすれば足場ユニット６３は前記前面３７ｂの仕切板に重なった状態に折り畳まれて作業用空間ＳＰ１１内に収容される。
【００７８】
＜内部ユニット８１＞
図８Ａは、建屋１内に配置された内部ユニット８１の正面図であり、図８Ｂは図８Ａ中のＢ−Ｂ断面図である。
【００７９】
内部ユニット８１は、梁間方向の両端に一対の脚部８５，８５を有する床部８７を本体（以下、内部ユニット本体８３と言う）とする。この内部ユニット本体８３は、前記脚部８５と建屋内の床面ＢＳとの間に設けられた移動機構によって桁行方向に移動可能な所謂可動床であり、前述の外部ユニット本体３３の移動に連動して、前記作業用空間ＳＰ１１の下方に位置して移動し、前記作業用空間ＳＰ１１の下方に、建屋内空間から隔離された隔離空間ＳＰ２１（可動床上方空間に相当）を区画する（図中、網掛けで示す範囲を参照）。すなわち、前記床部８７からその上方の屋根材５までに亘る空間（可動床上方空間に相当）を、建屋内空間から隔離する。
【００８０】
内部ユニット本体８３の前記一対の脚部８５，８５は、何れも、例えば枠組足場が略直方体状に組まれたものであり、これら一対の脚部８５，８５は、互いの間に大きな間隔を隔てるべく、建屋１の左右の側面壁部１１，１１に近接配置されている。各脚部８５，８５の上面には、梁材等で補強された天板８７が、梁間方向に架け渡されて前記床部８７をなしており、これにより、内部ユニット本体８３は略門型構造体の外観を呈している。
【００８１】
なお、ここで、上記の天板８７が建屋１の天井たる屋根材５の下面に近接して配置されており、且つ、前記一対の脚部８５，８５が建屋１の左右の側面壁部１１，１１に近接配置されていることから、内部ユニット本体８３は前記一対の脚部８５，８５の間に大きな空間を形成できて、もって、建屋内に元々在る既設物との干渉を有効に回避し得る。そして、その結果、内部ユニット本体８３の桁行方向の移動に伴う建屋内の既設物の移動を極力行わずに済む。
【００８２】
前記床部８７には、その上面の外周縁の全周に沿って手摺り部８９が立設されている。そして、前記隔離空間ＳＰ２１を形成する場合には、床部８７の上面を覆って、気密性の養生シート（不図示）が配置されるとともに、上記手摺り部８９を利用して前記養生シートの外周縁が上方へ立ち上げられた後、当該外周縁は、葺き替え対象の屋根材５の外側に位置する屋根材５に接着等により取り付けられて支持され、これにより、前記作業用空間ＳＰ１１の下方には、建屋内空間から略密閉状態に隔離された前記隔離空間ＳＰ２１が区画される。なお、この内部ユニット本体８３の停止位置の近傍に、建屋１の支持架構たる門型フレーム７が在る場合には、前記養生シートの外周縁を門型フレーム７の梁部９に取り付けて支持させても良い。また、この隔離空間ＳＰ２１は、建屋１の屋根材５が取り外された際に外部ユニット３１の作業用空間ＳＰ１１に連通するので、前述の搬出用空間ＳＰ１３の除塵機によって負圧状態になり、もって、前記養生シートの取り付けに関し隙間が生じてしまう場合でも、その隙間から建屋内空間への異物の漏出は有効に防がれる。
【００８３】
移動機構は、前記一対の脚部８５，８５に対応させて、建屋１の床面ＢＳにおける梁間方向の両端に、桁行方向に沿って配置された一対のレール群ＲＧ，ＲＧと、レール群ＲＧのレールＲ上を転動し、前記脚部８５，８５の下部に設けられて前記内部ユニット本体８３を支持する複数の車輪（不図示）と、内部ユニット本体８３を桁行方向に牽引するウインチ（不図示）と、を備えている。ウインチは、内部ユニット本体８３の前方及び後方の各床面ＢＳに配置されており、また、各ウインチのワイヤーは、それぞれに、内部ユニット本体８３に連結されている。よって、前側のウインチでワイヤーが巻き取られれば、その巻き取り量に応じた距離だけ前方へ内部ユニット本体８３は牽引されて移動する一方、後側のウインチでワイヤーが巻き取られれば、その巻き取り量に応じた距離だけ後方へ内部ユニット本体８３は牽引されて移動する。
【００８４】
なお、内部ユニット本体８３及び外部ユニット本体３３の桁行方向の位置は、レーザー変位計等の適宜な位置センサーによりリアルタイムで検出され、これらの位置信号は、適宜なコンピュータからなる制御装置へ送信される。そして、この制御装置が、前方及び後方のウインチのワイヤーの巻き取り量を制御することにより、外部ユニット本体３３の桁行方向の移動に連動して、内部ユニット本体８３を移動する。すなわち、外部ユニット本体３３の前記作業用空間ＳＰ１１の下方に、内部ユニット本体８３の前記隔離空間ＳＰ２１が位置するように内部ユニット本体８３を移動する。
【００８５】
＜＜＜屋根葺き替え作業手順＞＞＞
以上説明してきた屋根葺き替えユニットによれば、以下の手順で屋根葺き替え作業が行われる。
【００８６】
＜屋根葺き替えユニットの組み立て＞
（１）内部ユニット８１の組み立て
図８Ａ及び図８Ｂに示すように、先ず、建屋１内の床面ＢＳに左右一対のレール群ＲＧを配置し、内部ユニット牽引用のウインチを設置する。また、枠組足場で左右一対の脚部８５，８５を組むとともに、その下端部に車輪を取り付けて、前記一対の脚部８５，８５を、対応するレール群ＲＧのレールＲ上に配置する。そして、これら一対の脚部８５，８５に、床部としての天板８７を架け渡して固定したら、門型の内部ユニット本体８３が形成される。
【００８７】
そうしたら、内部ユニット本体８３の床部８７に手摺り部８９を立設し、しかる後に、内部ユニット本体８３の床部８７の上面に養生シートを敷いて覆ったら、養生シートの外周縁を、手摺り部８９に引っ掛けて保持しておく。
【００８８】
（２）外部ユニット３１の組み立て
図４Ａ及び図４Ｂに示すように、先ず、建屋１外の地面Ｇに左右一対のレール群ＲＧを配置し、外部ユニット牽引用のウインチを設置する。また、枠組足場で左右一対の脚部３５，３５を組むとともに、その下端部に車輪を取り付けて、前記一対の脚部３５，３５を、対応するレール群ＲＧのレールＲ上に配置する。そして、これら一対の脚部３５，３５に、作業用空間区画部３７の骨組みフレームを架け渡して固定するとともに、骨組みフレームの上面３７ａ、前面３７ｂ、後面３７ｃ、右面３７ｄ、及び左面３７ｅに仕切板を固定して覆えば、門型の外部ユニット本体３３が形成される。
【００８９】
そうしたら、その作業用空間区画部３７の閉空間ＳＰ１内にホイスト４０のレール４０ａ及びウインチ４０ｂを設置するとともに、同閉空間ＳＰ１に２枚の仕切シート３９，３９を取り付けて、搬入用空間ＳＰ１２、作業用空間ＳＰ１１、及び搬出用空間ＳＰ１３の三つに仕切り、更に、搬出用空間ＳＰ１３には切断装置４３及び除塵機を設置する。
【００９０】
また、作業用空間区画部３７の対応する各部位に隣接させて、屋根材成型ステージ４５、予備空間ＳＰ１４、荷下ろし用空間ＳＰ１５、浄化室ＳＰ１６、資材置き台４９を一体に設け、それぞれの場所に、対応する機器（屋根材成型装置４７、荷下ろし用ホイスト、エアーシャワー装置、荷揚用ホイスト等）を配置する。
【００９１】
そして、これをもって、屋根葺き替えユニットの組み立て作業が終了し、次ぎに当該屋根葺き替えユニットによる葺き替え作業が行われる。
【００９２】
＜屋根葺き替え＞
（１）建屋１の後端部の屋根葺き替え
図９Ａ乃至図９Ｄに、屋根葺き替えの様子を側面視で示す。この実施例では、屋根葺き替え作業を、建屋１の桁行方向の後端から前端へと順番に行っていく。従って、初回の葺き替え対象は後端の屋根材５であり、もって、始めに、図９Ａに示すように、外部ユニット３１及び内部ユニット８１を建屋１の後端部へ移動する。
【００９３】
ここで、外部ユニット３１は、桁行方向の後端の屋根材５の後端縁５ｃを作業用空間ＳＰ１１が前後に跨ぐように配置される。そして、作業用空間ＳＰ１１の後面３７ｃの仕切板と後端の屋根材５との間に、後端用の足場ユニット６３を拡げて作業足場６４を形成し、しかる後に、この作業足場６４上に養生シート６１を敷設するとともに、養生シート６１の前端縁を建屋１の後面壁部１５に貼り付けて固定し、これにより作業用空間ＳＰ１１の矩形開口の後辺Ｌ２と建屋１との隙間を塞ぐ。また、同矩形開口の前辺Ｌ１、右辺Ｌ３、及び左辺Ｌ４と建屋１との各隙間を、外部ユニット３１の前記シール板５１及び前記シート状部材５５により塞ぐ。
【００９４】
一方、この時、内部ユニット８１は、建屋１内の後端位置たる建屋１の後面壁部１５の隣接位置へ移動しており、もって、内部ユニット８１は、外部ユニット３１の作業用空間ＳＰ１１の下方に、屋根材５を挟んで位置している。そして、内部ユニット８１の床部８７上に隔離空間ＳＰ２１を区画すべく、前記床部８７を覆う養生シートの外周縁を上方へ持ち上げて、当該外周縁を、その全周に亘って葺き替え対象の屋根材５よりも外側の屋根材５又は門型フレーム７に固定し、しかる後に除塵機を作動して、作業用空間ＳＰ１１、搬入用空間ＳＰ１２、搬出用空間ＳＰ１３、及び隔離空間ＳＰ２１を負圧にする。
【００９５】
そうしたら、葺き替え対象たる後端の屋根材５を建屋１から取り外すべく、作業用空間ＳＰ１１において当該屋根材５のはぜ継ぎを外すとともに、母屋材１７との止めボルトも外し、しかる後に、当該屋根材５をウインチ４０ｂで吊り上げる。そして、ウインチ４０ｂごとレール４０ａに沿って搬出用空間ＳＰ１３へ屋根材５を搬送し、搬出用空間ＳＰ１３の切断装置４３で屋根材５を小片に切断する。そして、これら小片を気密袋に詰めて封口し、荷下ろし用空間ＳＰ１５のホイストによって地上へ荷下ろししたら、処分場行きトラックに荷積みされる。
【００９６】
一方、屋根材５が取り外された建屋１の部分には、新規の屋根材５が取り付けられる。新規の屋根材５は、先ず、搬入用空間ＳＰ１２の隣にある屋根材成型ステージ４５の屋根材成型装置４７によって、コイル材Ｃから成型される。成型された屋根材５は、搬入用空間ＳＰ１２のウインチ４０ｂにより吊り上げられ、そして、ウインチ４０ｂごとレール４０ａに沿って作業用空間ＳＰ１１へ搬送される。そうしたら、新規の屋根材５は、建屋１の母屋材１７上に下ろされて母屋材１７にボルト止めされる。
【００９７】
なお、このような屋根材５の取り外し及び取り付け作業は、建屋１の棟３を挟んで梁間方向の両側の屋根材５に対してそれぞれ行われる。
【００９８】
そうしたら、作業用空間ＳＰ１１、搬入用空間ＳＰ１２、搬出用空間ＳＰ１３、及び隔離空間ＳＰ２１の清掃を行い、作業用空間ＳＰ１１及び隔離空間ＳＰ２１内に配置されたアスベスト濃度センサーにて濃度測定を行う。そして、アスベストの濃度測定値が許容範囲外の場合には再度清掃を行う一方、許容範囲内の場合には、外部ユニット３１及び内部ユニット８１を次の葺き替え対象の位置へ移動すべく準備する。すなわち、外部ユニット３１については、建屋１から養生シート６１を外すとともに後側用の足場ユニット６３を折り畳んで作業用空間ＳＰ１１に格納し、また、前記作業用空間区画部３７の前記シール板５１やシート状部材５５を建屋１から外す等する一方、内部ユニット８１については、前記養生シートの外周縁を建屋１の屋根材５等から外し、そして、除塵機を停止する。
【００９９】
（２）建屋１の後端部及び前端部以外の屋根葺き替え
上述のように後端の屋根材５の葺き替え作業が終わったら、図９Ｂに示すように、外部ユニット３１及び内部ユニット８１を桁行方向の前方へ移動して、次ぎの葺き替え対象の屋根材５を作業用空間ＳＰ１１及び隔離空間ＳＰ２１内に入れる。ここで、この移動の停止位置は、この直前に葺き替え済みの屋根材５の上方に、今回の作業用空間ＳＰ１１の後端縁が位置するように決められる。そして、このように停止すれば、今回の葺き替え対象の屋根材５の後端縁を作業用空間ＳＰ１１及び隔離空間ＳＰ２１に完全に収めることができるので、今回の葺き替え対象の屋根材５の取り外しを、当該作業用空間ＳＰ１１及び隔離空間ＳＰ２１内において確実に行うことができる。
【０１００】
次に、外部ユニット３１の作業用空間区画部３７の前記シール板５１及び前記シート状部材５５によって、作業用空間ＳＰ１１の矩形開口の前辺Ｌ１、後辺Ｌ２、右辺Ｌ３、及び左辺Ｌ４と建屋１との各隙間を塞ぐ。また、内部ユニット８１の床部８７上に隔離空間ＳＰ２１を区画すべく、前記床部８７を覆う養生シートの外周縁を上方へ持ち上げて、当該外周縁を、その全周に亘って葺き替え対象の屋根材５よりも外側の屋根材５又は門型フレーム７に固定する。そして、除塵機を作動して、作業用空間ＳＰ１１、搬入用空間ＳＰ１２、搬出用空間ＳＰ１３、及び隔離空間ＳＰ２１を負圧にする。
【０１０１】
そうしたら、作業用空間ＳＰ１１において葺き替え対象の屋根材５のはぜ継ぎを外すとともに、母屋材１７との止めボルトも取り外し、しかる後に、当該屋根材５をウインチ４０ｂで吊り上げたら、ウインチ４０ｂごとレール４０ａに沿って搬出用空間ＳＰ１３へ屋根材５を搬送し、搬出用空間ＳＰ１３の切断装置４３で屋根材５を小片に切断する。そして、これら小片を気密袋に詰めて封口し、荷下ろし用空間ＳＰ１５のホイストによって地上へ荷下ろししたら、処分場行きトラックに荷積みされる。これを、作業用空間ＳＰ１１内に入っている全ての屋根材５に対して行う。
【０１０２】
一方、屋根材５が取り外された建屋１の部分には、新規の屋根材５が取り付けられる。新規の屋根材５は、上述の後端の屋根材５の場合と同様に、屋根材成型装置４７によってコイル材Ｃから成型され、搬入用空間ＳＰ１２にてウインチ４０ｂで吊り上げられて作業用空間ＳＰ１１へと搬送される。そうしたら、新規の屋根材５は、その桁行方向の後方に隣り合う葺き替え済みの屋根材５にはぜ継ぎされるとともに、母屋材１７にボルト止めされる。
【０１０３】
そうしたら、作業用空間ＳＰ１１、搬入用空間ＳＰ１２、搬出用空間ＳＰ１３、及び隔離空間ＳＰ２１の清掃を行い、アスベスト濃度センサーにて濃度測定を行う。そして、アスベストの濃度測定値が許容範囲外の場合には再度清掃を行う一方、許容範囲内の場合には、外部ユニット３１及び内部ユニット８１を次の葺き替え対象の位置へ移動すべく準備をする。すなわち、外部ユニット３１の前記シール板５１及びシート状部材５５を建屋１から外す等する一方、内部ユニット３１の前記養生シートの外周縁を建屋１の屋根材５等から外し、そして、除塵機を停止する。
【０１０４】
そうしたら、図９Ｃに示すように、外部ユニット３１及び内部ユニット８１を、図９Ｃに示すように前方の未葺き替えの屋根材５の位置へ移動し、そして、その作業用空間ＳＰ１１及び隔離空間ＳＰ２１内の未葺き替えの屋根材５に対して上述の葺き替え作業が繰り返される。
【０１０５】
（３）建屋１の前端部の屋根葺き替え
上述の葺き替え作業が行われる度に、外部ユニット３１及び内部ユニット８１が順次前方へ移動して、その結果、図９Ｄに示すように建屋１の前端部に達したら、最後に、前端の屋根材５に対して葺き替え作業が行われる。この作業は、上述した建屋１の後端部の葺き替え作業と前後関係が逆なだけであり、その作業内容は概ね同じである。
【０１０６】
すなわち、外部ユニット３１は、桁行方向の前端の屋根材５の前端縁５ｂを作業用空間ＳＰ１１が前後に跨ぐように配置される。そして、作業用空間ＳＰ１１の前面３７ｂの仕切板と前端の屋根材５との間に、前端用の足場ユニット６３を拡げて作業足場６４を形成し、しかる後に、この作業足場６４上に養生シート６１を敷設するとともに、養生シート６１の後端縁を建屋１の前面壁部１３に貼り付けて固定し、これにより作業用空間ＳＰ１１の矩形開口における前辺Ｌ１と建屋１との隙間を塞ぐ。また、作業用空間ＳＰ１１の矩形開口の後辺Ｌ２、右辺Ｌ３、及び左辺Ｌ４と建屋１との各隙間を、外部ユニット３１の前記シール板５１及び前記シート状部材５５によって塞ぐ。
【０１０７】
一方、この時、内部ユニット８１は、建屋１内の前端位置たる建屋１の前面壁部１３の隣接位置へ移動しており、もって、内部ユニット８１は、外部ユニット３１の作業用空間ＳＰ１１の下方に屋根材５を挟んで位置している。そして、内部ユニット８１の床部８７上に隔離空間ＳＰ２１を区画すべく、床部８７を覆う養生シートの外周縁を上方へ持ち上げて、当該外周縁を、その全周に亘って葺き替え対象の屋根材５よりも外側の屋根材５又は門型フレーム７に固定し、しかる後に除塵機を作動して、作業用空間ＳＰ１１、搬入用空間ＳＰ１２、搬出用空間ＳＰ１３、及び隔離空間ＳＰ２１を負圧にする。
【０１０８】
そうしたら、葺き替え対象たる前端の屋根材５を建屋１から取り外すべく、作業用空間ＳＰ１１において母屋材１７との止めボルトを外し、しかる後に、取り外した屋根材５を搬出用空間ＳＰ１３の切断装置４３で小片に切断し、これら小片を気密袋に詰めたら、荷下ろし用空間ＳＰ１５を経て、処分場行きトラックに荷積みされる。
【０１０９】
一方、屋根材５が取り外された建屋１の部分には、屋根材成型装置４７により成型された新規の屋根材５が取り付けられる。
【０１１０】
そうしたら、作業用空間ＳＰ１１、搬入用空間ＳＰ１２、搬出用空間ＳＰ１３、及び隔離空間ＳＰ２１の清掃を行い、アスベスト濃度センサーにて濃度測定を行い、許容範囲内の場合には、除塵機を停止する。
【０１１１】
そして、以上をもって、建屋１の全ての屋根材５が葺き替えられたことになり、この後、外部ユニット３１及び内部ユニット８１の解体作業が行われて、一連の建屋１の屋根葺き替え作業が完了する。
【０１１２】
＝＝＝その他の実施の形態＝＝＝
以上、本発明の実施形態について説明したが、本発明は、かかる実施形態に限定されるものではなく、その要旨を逸脱しない範囲で以下に示すような変形が可能である。
【０１１３】
（ａ）上述の実施形態においては、既存建屋１の屋根材５にアスベストが布設されている場合を例示したが、何等これに限るものではない。例えば、アスベスト等が布設されていない単なる折版の屋根材５であっても良い。そして、その場合には、葺き替え作業時の作業用空間ＳＰ１１や隔離空間ＳＰ２１の密閉条件を緩和できて、例えば、シール板５１等のシール部材や除塵機を省略しても良いし、更には、浄化室ＳＰ１６やアスベストの濃度測定作業も省略して良い。
【０１１４】
また、葺き替え作業時に伴う異物の飛散が殆ど無い場合には、更に屋根葺き替えユニットの構成要素を更に省いても良い。例えば、「居ながら施工」を行う場合には、建屋１の屋根材５を取り外した際に建屋の雨仕舞いが確保されていれば良く、ここで、雨仕舞いに必須の構成は、外部ユニット本体３３の作業用空間区画部３７の上面３７ａを覆う仕切板たる作業用屋根部だけになる。よって、前記作業用空間区画部３７の前面３７ｂ、後面３７ｃ、右面３７ｄ、及び左面３７ｅを覆う仕切板を省略しても良いし、更には、建屋１内の内部ユニット８１を省略しても良い。
【０１１５】
（ｂ）上述の実施形態においては、内部ユニット本体８３を建屋１の床面ＢＳのレールＲによって桁行方向に移動可能に案内支持していたが、何等これに限るものではない。例えば、図１０Ａの内部ユニット８１の正面図及び図１０Ａ中のＢ−Ｂ断面図たる図１０Ｂに示すように、建屋１の門型フレーム７の各柱部８の上端部に、桁行方向に沿ってレールＲを架け渡して固定するとともに、当該レールＲに内部ユニット本体８３の車輪Ｗを係合させて吊り下げることにより、内部ユニット本体８３の床部８７を桁行方向に移動可能に案内支持しても良い。
【０１１６】
（ｃ）上述の実施形態においては、既存建屋１の説明について、タイトフレームや面戸、樋などの説明を省略しているが、上述した既存建屋１がこれらの部材を備えていても良く、また、これらの部材を備えている場合には、上述の屋根葺き替え作業に際し、適宜これらの部材の取り外し及び取り付けが行われるのは言うまでもない。
【符号の説明】
【０１１７】
１  既存建屋（建屋）、３  棟、
５  屋根材、５ａ  斜面部、５ｂ  前端縁、５ｃ  後端縁、
７  門型フレーム、８  柱部、９  梁部、
１１  側面壁部、１３  前面壁部、１５  後面壁部、１７  母屋材、
３１  外部ユニット、３３  外部ユニット本体、
３５  脚部、３６  天板、３７  作業用空間区画部、
３７ａ  上面、３７ｂ  前面、３７ｃ  後面、３７ｄ  右面、３７ｅ  左面、
３９  仕切シート、４０  ホイスト、４０ａ  レール、４０ｂ  ウインチ、
４３  切断装置、４５  屋根材成型ステージ、
４７  屋根材成型装置、４７ａ  リール、４７ｂ  プレス機、
４９  資材置き台、５１  シール板、５２  ヒンジ軸、
５５  シート状部材、５５ｂ  他端、５６  支持部材、
６１  養生シート、６３  足場ユニット、６４  作業足場（床板）、
６５  リンク機構、６５ａ  縦材、６５ｂ  斜材、６６  水平ピン、
６７  手摺りフレーム、８１  内部ユニット、８３  内部ユニット本体、
８５  脚部、８７  床部（天板）、８９  手摺り部、
Ｃ  コイル材、Ｐ  鋼板、Ｒ  レール、ＲＧ  レール群、Ｗ  車輪、
Ｇ  地面、ＢＳ  床面、
Ｌ１  前辺（下端縁）、Ｌ２  後辺（下端縁）、Ｌ３  右辺、Ｌ４  左辺、
ＳＰ０  大空間、ＳＰ１  閉空間、
ＳＰ１１  作業用空間（屋根葺き替え作業用空間）、
ＳＰ１２  搬入用空間、ＳＰ１３  搬出用空間、
ＳＰ１４  予備空間、ＳＰ１５  荷下ろし用空間、
ＳＰ１６  浄化室、ＳＰ２１  隔離空間（可動床上方空間）
【図１】
0005569559.tif 000002
【図２】
0005569559.tif 000003
【図５Ｂ】
0005569559.tif 000004
【図６】
0005569559.tif 000005
【図７Ａ】
0005569559.tif 000006
【図１０】
0005569559.tif 000007
【図３】
0005569559.tif 000008
【図４】
0005569559.tif 000009
【図５Ａ】
0005569559.tif 000010
【図７Ｂ】
0005569559.tif 000011
【図７Ｃ】
0005569559.tif 000012
【図８】
0005569559.tif 000013
【図９】
0005569559.tif 000014